(57)【要約】      （修正有）【課題】火災が発生した場合に消火栓扉の開放操作に戸惑うことなく、一般の人であっても、消火栓装置を使った消火活動を容易に行うことを可能とする。【解決手段】消火栓装置１０は、収納箱１２前面の開口部１４に開閉自在に設けた消火栓扉、消火栓扉を開放させる操作を行う操作ハンドル３２、外部からの扉開放制御信号により作動する開放駆動部、及び操作ハンドルによる開放操作又は開放駆動部の作動により、消火栓扉の閉鎖保持を解除して開放させる扉開放機構３０を備える。受信機は、火災感知器からの火災信号を受信した場合に開放制御信号を消火栓装置１０へ送信し、その開放駆動部により開放作動機構を作動して消火栓扉を自動開放させる。【選択図】図２
2015036073.tif 000002
【特許請求の範囲】
【請求項１】
受信機からの感知器回線に火災感知器を接続し、前記火災感知器を設置した防護区画に対応して、前面に開口した収納箱の内部に消火ホースを収納した消火栓装置を設置した消防用設備に於いて、
前記消火栓装置は、
前記収納箱前面の開口部に開閉自在に設けた消火栓扉と、
消火栓扉を開放させる操作を行う操作部と、
外部からの扉開放制御信号により作動する開放駆動部と、
前記操作部の開放操作又は前記開放駆動部の作動により、前記消火栓扉の閉鎖保持を解除して開放させる扉開放機構と、
を備え、
前記受信機は、前記火災感知器からの火災信号を受信した場合に開放制御信号により前記開放駆動部により前記消火栓装置の前記開放作動機構を作動して前記消火栓扉を自動開放させる制御部を備えたことを特徴とする消防用設備。
【請求項２】
二次側に閉鎖型スプリンクラーヘッドを接続した流水検知装置からの信号を受信機に接続し、前記閉鎖型スプリンクラーヘッドを設置した防護区画に対応して、前面に開口した収納箱の内部に消火ホースを収納した消火栓装置を設置した消防用設備に於いて、
前記消火栓装置は、
前記収納箱前面の開口部に開閉自在に設けた消火栓扉と、
消火栓扉を開放させる操作を行う操作部と、
外部からの扉開放制御信号により作動する開放駆動部と、
前記操作部の開放操作又は前記開放駆動部の作動により、前記消火栓扉の閉鎖保持を解除して開放させる扉開放機構と、
を備え、
前記受信機は、前記流水検知装置からの火災信号を受信した場合に開放制御信号により前記開放駆動部により前記消火栓装置の前記開放作動機構を作動して前記消火栓扉を自動開放させる制御部を備えたことを特徴とする消防用設備。
【請求項３】
請求項１又は２記載の消防用設備に於いて、前記消火栓装置は発信機を備え、前記発信機の操作に連動して前記開放駆動部により前記扉開放機構を作動し、前記前記消火栓扉を自動開放させることを特徴とする消防用設備。
【請求項４】
請求項１又は２記載の消防用設備に於いて、前記消火栓装置は音響警報器を備え、前記受信機の制御部は、前記開放駆動部により前記扉開放機構を作動して前記消火栓扉を自動開放させる場合に、所定の扉開放注意音を出力させることを特徴とする消防用設備。
【請求項５】
請求項１又は２記載の消防用設備に於いて、前記消火栓装置の前記扉開放機構は、
前記消火栓扉側に設けたフック金具のフック穴に嵌合して前記消火栓扉を閉鎖保持し、前記フック金具のフック穴から離脱して前記消火栓扉の閉鎖を解除するフック爪と、
前記操作部の開放操作による操作軸の回動を受けて前記フック爪を引き込み、前記フック金具のフック穴から離脱させる第１開放機構と、
前記第１開放機構から分離され、前記開放駆動部の作動による駆動軸の回動を受けて前記フック爪を引き込み、前記フック金具のフック穴から離脱させる第２開放機構と、
を備えたことを特徴とする消防用設備。
【請求項６】
請求項１又は２記載の消防用設備に於いて、前記消火栓装置の前記開放駆動部はロータリーソレノイドであり、前記操作部は操作ハンドルであり、外部から扉開放制御信号を受けて作動した場合のソレノイド駆動軸の回転角を、前記操作ハンドルにより前記消火栓扉を開放させるハンドル回転角以上の所定回転角としたことを特徴とする消防用設備。
【請求項７】
請求項１又は２記載の消防用設備に於いて、前記消火栓装置の前記消火栓扉として、前記収納箱前面の開口部に、前記開口部のいずれかの開口端に配置したロールスクリーン装置による巻き出し又は巻き込みにより開閉自在な不燃性又は難燃性のスクリーンを配置したことを特徴とする消防用設備。
【請求項８】
請求項１又は２記載の消防用設備に於いて、前記消火栓装置の前記消火栓扉として、前記収納箱前面の開口部に、上部の保持で前記開口部を閉鎖し、上部の保持解除で下降して前記開口部を開くシャッター機構を設けたことを特徴とする消防用設備。
【請求項９】
請求項１又は２記載の消防用設備が自動火災報知設備、スプリンクラー設備、又は屋内消火栓設備であることを特徴とする消防用設備。
【請求項１０】
前面に開口した収納箱の内部に消火ホースを収納した消火栓装置に於いて、
前記収納箱前面の開口部に開閉自在に設けた消火栓扉と、
消火栓扉を開放させる操作を行う操作部と、
外部からの扉開放制御信号により作動する開放駆動部と、
前記操作部による開放操作又は前記開放駆動部の作動により、前記消火栓扉の閉鎖保持を解除して開放させる扉開放機構と、
を備えたことを特徴とする消火栓装置。
【請求項１１】
請求項１０記載の消火栓装置に於いて、前記開放駆動部は、消火栓装置を設置した監視区画に対応した火災感知器からの火災信号を受信した受信機からの開放制御信号により、前記開放作動機構を作動して前記消火栓扉を自動開放させることを特徴とする消火栓装置。
【請求項１２】
請求項１０記載の消火栓装置に於いて、前記開放駆動部は、消火栓装置に設けた発信機の操作に連動して前記開放作動機構を作動し、前記消火栓扉を自動開放させることを特徴とする消火栓装置。
【請求項１３】
請求項１０記載の消火栓装置に於いて、前記扉開放機構は、
前記消火栓扉側に設けたフック金具のフック穴に嵌合して前記消火栓扉を閉鎖保持し、前記フック金具のフック穴から離脱して前記消火栓扉の閉鎖を解除するフック爪と、
前記操作部の開放操作による操作軸の回動を受けて前記ラッチ爪を引き込み、前記フック金具のフック穴から離脱させる第１開放機構と、
前記第１開放機構から分離され、前記開放駆動部の作動による駆動軸の回動を受けて前記ラッチ爪を引き込み、前記フック金具のフック穴から離脱させる第２開放機構と、
を備えたことを特徴とする消火栓装置。
【請求項１４】
請求項１０記載の消火栓装置に於いて、前記開放駆動部はロータリーソレノイドであり、前記操作部は操作ハンドルであり、外部から扉開放制御信号を受けて作動した場合の駆動軸の回転角を、前記操作ハンドルにより前記消火栓扉を開放させるハンドル回転角以上の所定回転角としたことを特徴とする消火栓装置。
【請求項１５】
請求項１０記載の消火栓装置に於いて、前記消火栓扉として、前記収納箱前面の開口部に、前記開口部のいずれかの開口端に配置したロールスクリーン装置による巻き出し又は巻き込みにより開閉自在な不燃性又は難燃性のスクリーンを配置したことを特徴とする消火栓装置。
【請求項１６】
請求項１０記載の消火栓装置に於いて、前記消火栓扉として、前記収納箱前面の開口部に、上部の保持で前記開口部を閉鎖し、上部の保持解除で下降して前記開口部を開くシャッター扉を設けたことを特徴とする消火栓装置。
【発明の詳細な説明】
【技術分野】
【０００１】
本発明は、受信機からの感知器回線に接続した火災感知器の監視区域または閉鎖型スプリンクラーヘッドの放水区域に対応して消火栓装置を設置した消防用設備及び消火栓装置に関する。
【背景技術】
【０００２】
従来、建物内で発生した火災を消火するための消火栓装置としては例えば図１７乃至図１９に示すのもが知られている。
【０００３】
図１７は従来の消火栓装置の正面図であり、消火栓装置２００は金属製の収納箱２０２の前面に、図示しない蝶番構造等を介して開閉自在に消火栓扉２０４を設け、また消火栓扉２０４の上部に通報パネル２０６を設け、ここに発信機２０８、赤色表示灯２１０、及び内蔵した警報用スピーカに対応して音響孔２１２を設けている。
【０００４】
赤色表示灯２１０は常時点灯し、消火栓装置２００の設置場所が遠方から視認できるようにしている。火災時には、発信機２０８中央に設けたボタンを押圧操作することでボタン内側のスイッチをオンすると、発信信号が監視室の防災受信盤（火災受信機）に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。
【０００５】
図１８は図１７に示した消火栓装置２００の消火栓扉２０４を取り外した状態で内部構造を示した説明図であり、収納箱２０２の内部に消火栓弁２１４を配置し、消火栓弁２１４には先端にノズル２１８を装着した消火ホース２１１６を連結接続し、図示の如くホルダー２２０に折り畳み状態で掛けることで引き出し自在に収納している。図１８はこの消火栓扉２０４を開放した状態であり、図１８に示した内部構造は省略している。
【０００６】
通常時、消火栓装置２００の消火栓扉２０４は図１７に示した如く閉じられており、適宜の扉ロック機構等により閉状態に維持されている。そして火災が発生した場合には、扉ロック機構等を操作して扉閉状態を解除して図１９のように消火栓扉２０４を開き、例えば一人がノズル２１８を持ちながら消火ホース２１６を引き出して火災発生場所（消火対象）に向かい、もう一人が発信機２０８を操作して通報すると共に消火栓弁２１４を開放操作するといったように、二人ないしそれ以上で消火活動を行う。これは、ホースの引出中に消火栓弁２１４を開放すると、水圧とその反動等によりホースが適切に引き出せなくなったり、危険が生じたりするといった問題を回避するため、また使用中、消火栓扉の開放を人の手で維持する必要がある等のためである。
【０００７】
このように、少なくとも二人操作を必要とする消火栓装置は１号消火栓として法的に規格が定められており、一方、一人操作を可能とする消火栓として放水による反動力を抑えると共に保形ホースを使用した２号消火栓も法的に規格が定められている。
【先行技術文献】
【特許文献】
【０００８】
【特許文献１】特開平９−３８２３１号公報
【特許文献２】特開２０１２−２３９４８５号公報
【特許文献３】特開２０１２−２３５９１０号公報
【発明の概要】
【発明が解決しようとする課題】
【０００９】
ところで、従来、このような消火栓装置を使用した消火活動における統計結果として、火災発生時の消火栓の使用例に対し奏功率は１０％に留まることが報告されている。これはスプリンクラー消火設備の奏功率が６０〜７０％にあることと対比すると、消火栓の奏功率はかなり低い結果となっている。
【００１０】
このように消火栓装置の奏功率が低い要因は、消火栓装置は通常時、図１７に示したように消火栓扉２０４が閉じていて内部を見ることができないため、図１８に示すような消火栓弁と消火ホースを収納した内部構造が充分知られておらず、また、火災が発生した場合に図１８のように消火栓扉２０４を開いても、角度によっては扉に遮られて内部が見えづらいために扱い難いことに起因している。
【００１１】
また、消火栓扉は横に回動して開放する構成が多く、放水作業を開始するときに、開放した消火栓扉が放水中にホースを挟むなど放水作業に悪影響を及ぼさないようにするため、係員が消火栓扉の開放を保持することが必要となる。また、扉の開放を維持した場合、扉が通路を遮って避難通路を遮ってしまう問題がある。
【００１２】
この問題を解決するため本願出願人にあっては、消火栓弁と消火ホースを収納した収納箱の開口を、ロールスクリーン又はシャッターなどの消火栓扉で覆うようにし、ハンドル操作によりラッチを解除するとロールスクリーン又はシャッターなどの消火栓扉が装置前側に突出することがなく開き、開放した消火栓扉が消火作業の邪魔にならないようにした消火栓装置を提案している（特許文献２，３）。
【００１３】
しかしながら、開放した消火栓扉が前に突出せずに消火作業の邪魔にならないようにした消火栓装置にあっても、通常状態では消火栓扉は閉鎖しているため、火災が発生した場合、消火栓扉を開放するためにはハンドル操作を必要とし、一般の人は消火栓扉を開けて放水操作した経験がなく、装置内部を見たことがない人も多いため、実際に火災が起きたときに、消火栓扉の開け方が分からず、消火栓扉の開放に手間取ったり、消火栓装置を使って消火活動が行われない場合がある。
【００１４】
本発明は、火災が発生した場合に消火栓扉の開放操作に戸惑うことなく、一般の人であっても、消火栓装置を使った消火活動を容易に行うことを可能とする消防用設備及び消火栓装置を提供することを目的とする。
【課題を解決するための手段】
【００１５】
（消防用設備１）
本発明は、受信機からの感知器回線に火災感知器を接続し、火災感知器を設置した防護区画に対応して、前面に開口した収納箱の内部に消火ホースを収納した消火栓装置を設置した消防用設備に於いて、
消火栓装置は、
収納箱前面の開口部に開閉自在に設けた消火栓扉と、
消火栓扉を開放させる操作を行う操作部と、
外部からの扉開放制御信号により作動する開放駆動部と、
操作部による開放操作又は開放駆動部の作動により、消火栓扉の閉鎖保持を解除して開放させる扉開放機構と、
を備え、
受信機は、火災感知器からの火災信号を受信した場合に開放制御信号により開放駆動部で消火栓装置の開放作動機構を作動して消火栓扉を自動開放させる制御部を備えたことを特徴とする。
【００１６】
（消防用設備２）
また、本発明は、二次側に閉鎖型スプリンクラーヘッドを接続した流水検知装置からの信号を受信機に接続し、閉鎖型スプリンクラーヘッドを設置した防護区画に対応して、前面に開口した収納箱の内部に消火ホースを収納した消火栓装置を設置した消防用設備に於いて、
消火栓装置は、
収納箱前面の開口部に開閉自在に設けた消火栓扉と、
消火栓扉を開放させる操作を行う操作部と、
外部からの扉開放制御信号により作動する開放駆動部と、
操作部による開放操作又は開放駆動部の作動により、消火栓扉の閉鎖保持を解除して開放させる扉開放機構と、
を備え、
受信機は、流水検知装置からの火災信号を受信した場合に開放制御信号により開放駆動部で消火栓装置の開放作動機構を作動して消火栓扉を自動開放させる制御部を備えたことを特徴とする。
【００１７】
（発信機に連動した自動開放）
消火栓装置は発信機を備え、発信機の操作に連動して開放駆動部により扉開放機構を作動し、前記消火栓扉を自動開放させる。
【００１８】
（扉開放注意音）
消火栓装置は音響警報器を備え、受信機の制御部は、開放駆動部により扉開放機構を作動して消火栓扉を自動開放させる場合に、所定の扉開放注意音を出力させる。
【００１９】
（扉解放機構）
消火栓装置の扉開放機構は、
消火栓扉側に設けたフック金具のフック穴に嵌合して消火栓扉を閉鎖保持し、フック金具のフック穴から離脱して消火栓扉の閉鎖を解除するフック爪と、
操作部の開放操作による操作軸の回動を受けてフック爪を引き込み、フック金具のフック穴から離脱させる第１開放機構と、
第１開放機構から分離され、開放駆動部の作動による駆動軸の回動を受けてフック爪を引き込み、フック金具のフック穴から離脱させる第２開放機構と、
を備える。
【００２０】
（ロータリーソレノイド）
消火栓装置の開放駆動部はロータリーソレノイドであり、操作部は操作ハンドルであり、外部から扉開放制御信号を受けて作動した場合のソレノイド駆動軸の回転角を、操作ハンドルにより消火栓扉を開放させるハンドル回転角以上の所定回転角とする。
【００２１】
（ロールスクリーン）
消火栓装置の消火栓扉として、収納箱前面の開口部に、開口部のいずれかの開口端に配置したロールスクリーン装置による巻き出し又は巻き込みにより開閉自在な不燃性又は難燃性のスクリーンを配置する。
【００２２】
（シャッター）
消火栓装置の消火栓扉として、収納箱前面の開口部に、上部の保持で開口部を閉鎖し、上部の保持解除で下降して開口部を開くシャッター扉を設ける。
【００２３】
（消防用設備）
消防用設備は、自動火災報知設備、スプリンクラー設備、又は屋内消火栓設備を含む。
【００２４】
（消火栓装置）
本発明は、前面に開口した収納箱の内部に消火ホースを収納した消火栓装置に於いて、
収納箱前面の開口部に開閉自在に設けた消火栓扉と、
消火栓扉を開放させる操作を行う操作ハンドルと、
外部からの扉開放制御信号により作動する開放駆動部と、
操作ハンドルによる開放操作又は開放駆動部の作動により、消火栓扉の閉鎖保持を解除して開放させる扉開放機構と、
を備えたことを特徴とする。
【００２５】
なお、消火栓装置における他の特徴は、消防用設備の消火栓装置の場合と基本的に同じになる。
【発明の効果】
【００２６】
（基本的な効果）
本発明によれば、火災感知器または閉鎖型スプリンクラーヘッドの作動に伴う流水検知装置で火災を検知した場合、火災を検知した防護区画に対応して設置している消火栓装置の消火栓扉が受信機からの開放制御信号による自動的に開放して、筐体内部に収納しているノズル、ホース、消火栓弁などの消火に使用する機材を自動的に見せることで、一般の人であっても、消火栓扉の開放操作に戸惑うことなく、消火栓扉が自動開放して中が見えている消火栓装置からノズル付きのホースを取り出して消火作業を行うことを可能とする。
【００２７】
（発信機に連動した自動開放による効果）
また、消火栓装置は発信機を備え、発信機の操作に連動して開放作動機構を作動し、消火栓扉を自動開放させるようにしたため、発信機を使用した火災通報操作に連動して消火栓扉が自動開放し、消火栓扉の開放操作を必要とすることなく、消火栓扉が自動開放して中が見えている消火栓装置からノズル付きのホースを取り出して消火作業を迅速に行うことを可能とする。
【００２８】
（扉開放注意音による効果）
また、消火栓装置は音響警報器を備え、受信機の制御部は、開放駆動部により扉開放機構を作動して消火栓扉を自動開放させる場合に、所定の扉開放注意音を出力させるようにしたため、消火栓扉を自動開放する場合に、その近くにいる人に注意を喚起し、また、消火栓装置における消火栓扉の自動開放に注意を向けさせ、消火栓扉が自動開放した消火栓装置からノズル付きのホースを取り出して消火作業を迅速に行うことを可能とする。
【００２９】
（扉開放機構による効果）
また、消火栓装置の扉開放機構は、消火栓扉側に設けたフック金具のフック穴に嵌合して消火栓扉を閉鎖保持し、フック金具のフック穴から離脱して消火栓扉の閉鎖を解除するフック爪と、操作部の操作ハンドルを回動する開放操作を受けてフック爪を引き込み、フック金具のフック穴から離脱させる第１開放機構と、第１機構から分離され、開放駆動部の作動による駆動軸の回動を受けてフック爪を引き込み、フック金具のフック穴から離脱させる第２開放機構とを備えた構造としたため、ハンドル操作による閉鎖解除と開放駆動部による閉鎖解除を、相互に干渉することなく、一つの扉開放機構で行うことを可能とする。
【００３０】
（ロータリーソレノイドによる効果）
また、消火栓装置の開放駆動部はロータリーソレノイドであり、外部から扉開放制御信号を受けて作動した場合のソレノイド駆動軸の回転角を、操作ハンドルにより消火栓扉を開放させるハンドル回転角以上の所定回転角とするようにしたため、ハンドル操作と略同等の回転角となるロータリーソレノイドの駆動により、消火栓扉のラッチを遠隔的に解除して自動開放可能とする。
【００３１】
（ロールスクリーンによる効果）
また、消火栓装置の消火栓扉として、収納箱前面の開口部に、開口部のいずれかの開口端に配置したロールスクリーン装置による巻き出し又は巻き込みにより開閉自在な不燃性又は難燃性のスクリーンを配置するようにしたため、消火栓扉が装置前側に突出することがなく開き、開放した消火栓扉が消火作業の邪魔にならない。
【００３２】
（シャッターによる効果）
また、消火栓装置の消火栓扉として、収納箱前面の開口部に、上部の保持で開口部を閉鎖し、上部の保持解除で下降して開口部を開くシャッター扉を設けるようにしたため、消火栓扉が装置前側に突出することがなく開き、開放した消火栓扉が消火作業の邪魔にならない。
【図面の簡単な説明】
【００３３】
【図１】消防用設備の概略を示した説明図
【図２】ロールスクリーンを用いた消火栓装置の実施形態を示した説明図
【図３】消火栓装置のスクリーン閉鎖状態と開放状態の縦断面を示した説明図
【図４】ロールスクリーン装置を取り出して示した説明図
【図５】扉開放機構に対するスクリーン先端の保持構造を示した説明図
【図６】扉開放機構の操作手順を示した説明図
【図７】扉開放機構を平面で示した説明図
【図８】扉開放機構の実施形態を示した説明図
【図９】ハンドル操作による扉開放機構の動作を示した説明図
【図１０】消火栓装置に設けた通報パネルの回路構成を示した説明図
【図１１】スクリーンを横開きする消火栓装置の他の実施形態を示した説明図
【図１２】シャッター扉を設けた消火栓装置の実施形態を示した説明図
【図１３】消火栓装置のシャッター閉鎖状態と開放状態の縦断面を示した説明図
【図１４】シャッター扉を取り出して示した説明図
【図１５】扉開放機構に対するシャッター扉の保持構造を示した説明図
【図１６】流水検知装置からの信号を受信して消火栓扉を自動開放させる消防用設備の概略を示した説明図
【図１７】従来の消火栓装置を示した正面図
【図１８】従来の消火栓装置につき消火栓扉を取外して内部構造を示した説明図
【図１９】従来の消火栓装置について消火栓扉の開放状態を示した説明図
【発明を実施するための形態】
【００３４】
［消防用設備の概要］
図１は消防用設備の概略を示した説明図、図２は消火栓扉にロールスクリーンを用いた消火栓装置の実施形態を示した説明図である。
【００３５】
図１に示すように、防災受信盤等として設置した受信機１から例えば階別の監視区域に分けて引出した感知器回線に火災感知器２を接続し、監視区域の火災を監視している。また、火災感知器２の監視区域に対応して廊下などに消火栓装置１０を設置しており、受信機１から引出した制御回線に消火栓装置１０を接続している。
【００３６】
受信機１は、制御部３、受信回路部４、制御回路部５、警報表示部６、操作部７及び移報部８を備え、受信回路部４を介して階別に引き出した感知器回線に火災感知器２を接続し、制御回路部５を介して引き出した制御回線に消火栓装置１０や図示しない地区音響装置などを接続している。
【００３７】
図２に示すように、消火栓装置１０は、前面に開口した収納箱１２の内部に消火ホースを収納し、収納箱前面の開口部１４に開閉自在に例えばロールスクリーン装置２６から巻き出したスクリーン２４を用いた消火栓扉を設け、扉開放機構３０に上部の支持部材２８を係合して閉鎖状態に保持しており、操作部として機能する操作ハンドル３２による開放操作又は外部からの扉開放制御信号による扉開放機構３０の作動で、消火栓扉として機能するスクリーン２４の閉鎖保持を解除して開放させる。
【００３８】
また、扉開放機構３０は、受信機１からの扉開放制御信号による開放駆動部として機能するロータリーソレノイドの駆動で作動し、スクリーン２４の閉鎖保持を解除して自動開放させる。
【００３９】
また、消火栓装置１０は通報パネル１８を備え、そこに発信機１８、赤色表示灯２０、音響警報器として例えばスピーカを背後に内蔵した音響孔２２を設けている。
【００４０】
本実施形態にあっては、火災を受信機１に通報するため発信機１８に設けた押釦スイッチを操作した場合、この発信機１８の操作に連動して扉開放機構３０を作動し、消火栓扉として機能するスクリーン２４の閉鎖保持を解除して開放させる。
【００４１】
受信機１の制御部３は、プログラムの実行により実現される機能であり、ハードウェアとしては、ＣＰＵ、メモリ、各種の入出力ポート等を備えたコンピュータ回路等を使用する。
【００４２】
制御部３は、受信回路部４を介して火災を検知して発報した火災感知器２からの火災信号を受信すると、警報表示部６に指示して火災警報音出力、代表火災表示、地区表示を行うと共に、制御回路部５を介して火災を検知した火災感知器２に対応した監視区域の地区音響装置に地区音響警報信号を送信して地区音響警報を出力させる制御を行う。
【００４３】
また、本実施形態における受信機１の制御部３は、受信回路部４を介して火災を検知して発報した火災感知器２からの火災信号を受信した場合に、火災を検知した火災感知器２の監視区域に対応して廊下などに設置している消火栓装置１０に制御回路部５を介して扉開放制御信号を送信し、消火栓装置１０に設けた開開放駆動部として機能するロータリーソレノイドにより扉開放機構３０を作動して消火栓扉を自動開放させる制御を行う。
【００４４】
更に、受信機１の制御部３は、制御回路部５を介して消火栓装置１０に扉開放制御信号を送信する場合に、消火栓装置１０に設けた音響警報器としてのスピーカに扉開放注意信号を送信し、消火栓扉として機能するスクリーン２４を自動開放させる場合に、所定の扉開放注意音を出力させる制御を行う。
【００４５】
［消火栓装置の構成］
図３は消火栓装置のスクリーン閉鎖状態と開放状態の縦断面を示した説明図であり、図３（Ａ）はスクリーン閉鎖状態を示し、図３（Ｂ）はスクリーン開放状態示す。図４はロールスクリーン装置を取り出して示した説明図、図５は扉開放機構に対するスクリーン先端の保持構造を示した説明図、図６は扉開放機構の操作手順を示した説明図である。
【００４６】
（消火栓装置の概要）
図３に示すように、消火栓装置１０は、内部に図１６〜図１８の従来例と同様に、消火栓弁と消火ホースを収納した金属製の収納箱１２を備え、収納箱１２の前面開口部１４の下部側に配置したロールスクリーン装置２６から不燃性又は難燃性の繊維シートからなるスクリーン２４を上部に巻き出して開口部１４を閉鎖している。
【００４７】
ロールスクリーン装置２６から巻き出したスクリーン２４の上端には棒状の支持部材２８を装着している。支持部材２８の軸両端は、開口部１４の左右両内側の上下方向に沿って形成したスリット状のガイド溝５２に摺動自在に差し込み、ガイド溝５２に沿って上下方向に案内移動可能としている。
【００４８】
ロールスクリーン装置２６は、図３に示すように、基台３６の左右両側にサイドホルダ３８を起立し、両サイドホルダ３８の間にローラパイプ３４を回転自在に支持し、ローラバイプ３４にはスクリーン２４の下端を固定した状態で巻き込んでいる。
【００４９】
支持部材２８の軸方向略中央には、フック金具４０を設け、扉開放機構３０のフック爪５４を、フック金具２８のフック穴５６に押圧挿通し、これによりスクリーン２４を閉鎖状態に保持している。
【００５０】
ロールスクリーン装置２６はコイルバネを内蔵しており、スクリーン２４の巻き出しに伴うローラパイプ３４の回転で内蔵したコイルバネを巻き込み、スクリーン２４を巻き出して開口部１４を閉鎖した状態でも、巻き込む方向の力を継続的にスクリーン２４に加えている。
【００５１】
扉開放機構３０は、前方側には操作ハンドル３２を設け、後方側には開放駆動部として機能するロータリーソレノイド６０を設けている。ロータリーソレノイド６０は、電磁コイルに通電した場合の電磁力によるロータの回転で駆動軸を所定方向に回動し、電磁コイルの通電を停止すると初期位置に戻り、駆動軸の１回の最大回転角は例えば最大９０°前後であり、ストッパの位置を変えることで、最大回転角の範囲で任意の回転角を設定可能とする。
【００５２】
消火栓装置１０を使用する際には、図６（Ａ）の扉閉鎖状態で、操作ハンドル３２を図６（Ｂ）に示すように、例えば下向き（右回り）に回動操作すると、フック金具２８からフック爪５４を抜いて支持部材２８の保持を解除し、図６（Ｃ）に示すように、ロールスクリーン装置２６がスクリーン２４を自動的に巻き取り、開口部１４が開放される。
【００５３】
ロータリーソレノイド６０は受信機１からの開放制御信号により動作して駆動軸を回動し、操作ハンドル３２を回動した場合と同様に、フック金具２８からフック爪５４を抜いて支持部材２８の保持を解除し、ロールスクリーン装置２６がスクリーン２４を自動的に巻き取り、開口部１４が自動開放される。
【００５４】
また、ロータリーソレノイド６０は、発信機１８の押釦操作に連動して動作して駆動軸を回動し、操作ハンドル３２を回動した場合と同様に、フック金具２８からフック爪５４を抜いて支持部材２８の保持を解除し、ロールスクリーン装置２６がスクリーン２４を自動的に巻き取り、開口部１４が自動開放される。
【００５５】
［扉開放機構の構成］
（操作ハンドル又はロータリーソレノイドによる開放）
図７は操作ハンドル及びロータリーソレノイドを備えた扉開放機構を平面から見て示した説明図であり、図７（Ａ）は扉閉鎖状態を示し、図７（Ｂ）は操作ハンドルによる扉開放を示し、図７（Ｃ）はロータリーソレノイドによる扉開放を示す。
【００５６】
図７（Ａ）に示すように、扉開放機構３０のフック爪５４をフック金具４０のフック穴に挿通保持した扉閉鎖状態で、例えば操作ハンドル３２を下向きに回動すると、ハンドル操作軸６６が回動し、図７（Ｂ）に示すように、フック爪５４を筐体に引き込み、フック金具４０の保持を解除し、開口部が開放される。このときロータリーソレノイド６０を連結したソレノイド駆動軸７８が動くことはない。
【００５７】
一方、図８（Ａ）に示す扉閉鎖状態で、受信機からの扉開放制御信号によりロータリーソレノイド６０を駆動すると、ソレノイド駆動軸７８が回動し、図７（Ｃ）に示すように、フック爪５４を筐体内に引き込み、フック金具４０の保持を解除し、開口部が開放される。このとき操作ハンドル３２を連結したハンドル操作軸６６が動くことはない。
【００５８】
（扉開放機構の詳細）
図８は扉開放機構の実施形態を示した説明図であり、図８（Ａ）に側面断面を示し、図８（Ｂ）に平面を示す。なお、図８（Ａ）は図８（Ｂ）のＸ−Ｘ断面から見た内部構造となる。また、図９はハンドル操作による扉開放機構のラッチ解除を示した説明図であり、図９（Ａ）に側面断面を示し、図９（Ｂ）に平面を示す。
【００５９】
図８に示すように、扉開放機構３０は、箱型に形成した筐体６２の内部にスライダ６４をガイド８０に沿って、図示で左右方向に摺動自在に設け、スライダ６４の左側となる先端にフック爪５４を固定し、筐体２４の左側面の開口から外部に出没自在に配置している。スライダ６２の右側となる後方にはスプリング８２を配置し、スライダ６２を左方向に付勢している。
【００６０】
スライダ６２は上方に開いたコ字形の断面形状であり、手前となる側面に、図示で左右方向にガイド溝７６ａを形成し、そこに直交する前方向からハンドル操作軸６６を挿入している。ガイド溝７６ａの長さは、スライダ６２の最大移動量を決める。
【００６１】
スライダ６２の奥行き側となる側面にも、ガイド溝７６ａと同じにガイド溝７６ｂ（図示せず）を形成し、そこに直交する後方向からソレノイド駆動軸７８を挿入している。ハンドル操作軸６６とソレノイド駆動軸７８は、軸先端に形成した球状受け部を、ボール７５を介して突き合わせ、回動自在に配置している。
【００６２】
ハンドル操作軸６６にはリンクアーム６８ａを固定し、リンクアーム６８ａの先端にローラ７０ａを設けている。リンクアーム６８ａの先端に設けたローラ７０ａは、スライダ６４の手前側面に形成した縦方向の駆動溝７２ａとこれに直交して連設した横方向の退避溝７４ａの交差部位に初期状態で位置している。
【００６３】
ソレノイド駆動軸７８にも、ハンドル駆動軸６６の場合と同様、リンクアーム６８ｂを固定し、リンクアーム６８ｂの先端にローラ７０ｂを設けている。リンクアーム８６ｂの先端に設けたローラ７０ｂは、スライダ６４の奥行き側の側面に形成した縦方向の駆動溝７２ｂ（図示せず）とこれに直交して連設した横方向の回避溝７４ｂ（図示せず）の交差部位に初期状態で位置している。
【００６４】
ここで、操作ハンドル３２を回動する開放操作を受けてラッチ爪５４を引き込み、フック金具４０のフック穴から離脱させる第１開放機構は、ハンドル操作軸６６、リンクアーム６８ａ、ローラ７０ａ、スライダ６４に形成した駆動溝７２ａ、退避溝７４ａ、ガイド溝７６ａで構成する。
【００６５】
また、第１機構から分離され、ロータリーソレノイド６０の作動による駆動軸の回動を受けてラッチ爪５４を引き込み、フック金具４０のフック穴から離脱させる第２開放機構は、ソレノイド駆動軸７８、リンクアーム６８ｂ、ローラ７０ｂ、スライダ６４に形成した駆動溝７２ｂ、退避溝７４ｂ、ガイド溝７６ｂで構成する。
【００６６】
（ハンドル操作による扉開放機構の動作）
図８に示す初期状態において、ハンドル操作軸６６を、これに連結した操作ハンドルの時計回りの操作で回動すると、図９に示すように、ハンドル操作軸６６の回動に伴ってリンクアーム６８ａが時計回りに回動し、リンクアーム６８ａの先端に設けたローラ７０ａもハンドル操作軸６６を中心に駆動溝７２ａを外側へ移動しながら時計回りに回動し、この回転運動がスライダ６４の直線運動に変換され、スライダ６４はスプリング８２を圧縮しながら右方向に移動し、左側先端に設けているフック爪５４を筐体６２に引き込み、フック金具４０のフック穴からフック爪５４を抜いて、扉閉鎖を解除して開放させる。
【００６７】
このとき、ハンドル操作軸６６の回転はソレノイド駆動軸７８に伝達されず、ソレノイド駆動軸７８は初期位置に停止している。この状態でスライダ６４が図示で右方向に移動するが、初期位置に停止しているリンクアーム６８ｂの先端に設けたローラ７０ｂは、スライダ６４の移動に対し、横方向に形成した退避溝７４ｂ（図示せず）に入り、リンクアーム６８ｂの先端に設けたローラ７０ｂに妨げられることなく、ハンドル操作軸６６の回動でスライダ６４を図示で右方向に移動することを可能とする。
【００６８】
（ロータリーソレノイド駆動による扉開放機構の動作）
図８に示す初期状態において、ソレノイド操作軸７８を、これに連結しロータリーソレノイド６０の駆動で時計回りに回動すると、ソレノイド軸７８の回動に伴ってリンクアーム６８ｂが時計回りに回動し、リンクアーム６８ｂの先端に設けたローラ７０ｂもソレノイド駆動軸７８を中心に駆動溝７２ｂ（図示せず）を外側へ移動しながら時計回りに回動し、この回転運動がスライダ６４の直線運動に変換され、スライダ６４はスプリング８２を圧縮しながら右方向に移動し、左側先端に設けているフック爪５４を筐体６２に引き込み、フック金具４０のフック穴からフック爪５４を抜いて、扉閉鎖を解除して開放させる。
【００６９】
このとき、ソレノイド駆動軸７８の回転はハンドル操作軸６６に伝達されず、ハンドル操作軸６６は初期位置に停止している。この状態でスライダ６４が図示で右方向に移動するが、初期位置に停止しているリンクアーム６８ａの先端に設けたローラ７０ａは、スライダ６４の移動に対し、横方向に形成した退避溝７４ａに入り、リンクアーム６８ａの先端に設けたローラ７０ａに妨げられることなく、ソレノイド駆動軸７８の回動でスライダ６４を図示で右方向に移動することを可能とする。
【００７０】
（ハンドル操作とソレノイ駆動の回転角）
扉開放機構３０を操作ハンドル３２の操作で扉開放するためのハンドル回転角をθ１とし、扉開放機構３０をロータリーソレノイド６０の駆動で扉開放するためのソレノイド回転角をθ２とすると、ソレノイド回転角θ２は、ハンドル回転角θ１以上の回転角とする。例えばハンドル回転角θ１は約８０度程度であることから、ソレノイド回転角θ２は例えば８０°〜９０°の範囲内の所定角度とする。
【００７１】
［発信機操作に連動した扉開放］
図１０は消火栓装置に設けた通報パネルの回路構成を示した説明図である。図１０に示すように、消火栓装置１０に設けた通報パネル１８には、赤色表示灯２０、スピーカ２２ａ、発信機１８におけるラッチ構造の押釦スイッチ１８ａを設けており、それぞれ受信機からの制御回線Ｌ１，Ｌ２，Ｌ３に接続している。
【００７２】
また、消火栓装置１０の扉開放機構３０に設けたロータリーソレノイド６０を、受信機からの扉開放制御信号又は発信機１８の押釦スイッチ１８ａに連動して駆動するソレノイド駆動回路を設けている。このソレノイド駆動回路は、受信機からのソレノイド駆動電圧を供給する制御回線Ｌ４にロータリーソレノイド６０を接続すると共に、これと直列に押釦スイッチ１８ａに連動する連動スイッチ接点９０を直列に接続している。また、ロータリーソレノイド６０の両端に、受信機からの扉開放制御信号を受ける制御回線Ｌ５を接続している。なお、制御回線Ｌ４，Ｌ５には逆流阻止用のダイオード９２，９４を接続している。
【００７３】
ロータリーアクチュエータ６０の駆動は、受信機から扉開放制御信号が制御回線Ｌ５を介して送信された場合は、制御回線Ｌ５を介して得られる駆動電圧をロータリーソレノイド６０に印加して駆動する。
【００７４】
また、発信機１８の押釦スイッチ１８ａを操作した場合は、これに連動してスイッチ接点９０が閉じ、制御回線Ｌ４を介して受けている駆動電圧をロータリーソレノイド６０に印加して駆動する。
【００７５】
［ロールスクリーンを用いた消火栓装置の他の実施形態］
図１１はロールスクリーンを用いた消火栓装置の他の実施形態を示した説明図である。
【００７６】
図１１に示すように、本実施形態の消火栓装置１０は、収納箱１２の前面の開口部１４の右側にロールスクリーン装置２６を配置し、ロールスクリーン装置２６から横方向（図示の例では左向き）に不燃性又は難燃性の繊維シートからなるスクリーン２４を引き出し、スクリーン２４の先端（左端）に設けた支持部材２８を開口部１４の左側に配置したスクリーン開閉部３０に保持して閉鎖状態としている。
【００７７】
支持部材２８には、図５を横向きにしたと同様に、フック穴を備えたフック金具２８を設け、扉開放機構３０のフック爪５４にフック金具４０を挿通させ、これによりスクリーン２４を閉鎖状態に保持している。また、扉開放機構３０には、操作ハンドル３２とロータリーソレノイド６０（図示せず）を設けている。
【００７８】
消火栓装置１０を使用する際には、操作ハンドル３２を例えば反時計回りに回動操作するか、受信機からの扉開放制御信号又は発信機１８の押釦スイッチの操作に連動したロータリーソレノイド６０の駆動により、フック金具４０のフック穴５６からフック爪５４が抜けて支持部材２８の保持が解除され、ロールスクリーン装置２６がスクリーン２４を右側に案内移動して巻き取り、開口部１４が開放される。
【００７９】
［シャッター扉を用いた消火栓装置］
図１２はシャッター扉を設けた消火栓装置の実施形態を示した説明図、図１３は消火栓装置のシャッター閉鎖状態と開放状態の縦断面を示した説明図、図１４はシャッター扉を取り出して示した説明図、図１５は扉開放機構に対するシャッター扉の保持構造を示した説明図である。
【００８０】
図１２に示すように、本実施形態の消火栓装置１０は、内部に図１６〜図１８の従来例と同様に、消火栓弁と消火ホースを収納した金属製の収納箱１２を備え、収納箱１２の前面の開口部１４に、シャッター扉１２４と扉開放機構３０を設け、シャッター扉２４により開口部１４を開閉自在としている。
【００８１】
シャッター扉２４は例えば５枚の板部材１２６−１〜１２６−５で構成し、収納箱１２の前面側左右端に設けたガイド溝１３４を形成し、板部材１２６−１〜１２６−５のガイド部１３６をガイド溝１３４に挿入することで、左右方向の移動を制限しつつ、上下方向には摺動自在としている。
【００８２】
シャッター扉１２４の最上部に位置する板部材１２６−１は、収納箱１２側に固定した扉開放機構３０により保持され、この保持状態で紐部材１４４により連結された板部材１２６−１〜１２６−５が吊下げ状態に展開して開口部１４を閉鎖している。
【００８３】
扉開放機構３０は、前方側には操作ハンドル３２を設け、後方側には扉開放駆動部として機能するロータリーソレノイド６０を設けている。扉開放機構３０の詳細は図８及び図９に示したと同じになる。
【００８４】
消火栓装置１０を使用する際には、扉閉鎖状態で、操作ハンドル３２を下向き（右回り）に回動操作すると、フック金具２８からフック爪５４を抜いて板部材１２６−１の保持を解除し、板部材１２６−１〜１２６−４はガイド溝１３４に沿って自重により各板面が順次重なりつつ下降し、開口部１４を開放する。
【００８５】
ロータリーソレノイド６０は受信機１からの開放制御信号により動作して駆動軸を回動し、操作ハンドル３２を回動した場合と同様に、フック金具２８からフック爪５４を抜いて支持部材２８の保持を解除し、板部材１２６−１〜１２６−４はガイド溝１３４に沿って自重により各板面が順次重なりつつ下降し、開口部１４を開放する。
【００８６】
また、ロータリーソレノイド６０は、発信機１８の押釦操作に連動して動作して駆動軸を回動し、操作ハンドル３２を回動した場合と同様に、フック金具２８からフック爪５４を抜いて支持部材２８の保持を解除し、板部材１２６−１〜１２６−４はガイド溝１３４に沿って自重により各板面が順次重なりつつ下降し、開口部１４を開放する。
【００８７】
開放したシャッター扉１２４の閉鎖は、最上部の板部材１２６−１に設けた取っ手１２８をもって上に引き上げ、扉開放機構３０に保持させる。
【００８８】
［流水検知装置からの信号による消火栓扉自動開放］
図１６は流水検知装置からの信号を受信して消火栓扉を自動開放させる消防用設備の概略を示した説明図である。
【００８９】
図１６に示すように、例えば共同住宅のスプリンクラー消火設備にあっては、住戸毎に、閉鎖型スプリンクラーヘッド１０２を接続した配管に流水検知装置１００を設けており、火災による熱気流を受けて閉鎖型スプリンクラーヘッド１０２が作動すると、これに伴う配管の流水を流水検知装置１００が検知して流水検知信号を出力する。流水検知装置１００は、図示しない住戸受信機を経由して例えば管理人室などに防災監視盤として設置した受信機１の受信回路部４に回線接続している。
【００９０】
受信機１の制御部３は、流水検知装置１００からの流水検知信号を受信回路部４を介して受信した場合、閉鎖型スプリンクラーヘッド１０２を設置した防護区画、例えば防護区画となる住戸の階に対応した廊下などに設置した消火栓装置１０に扉開放制御信号を送信し、消火栓装置１０の扉開放機構をロータリーソレノイドの駆動により作動して消火栓扉を自動開放させる。
【００９１】
また、受信機１からの感知器回線には例えば集合住宅の共用部に設置した火災感知器２を接続しており、火災感知器２で火災を検知した場合の消火栓装置１０に対する消火栓扉の自動開放制御は図１の実施形態と基本的に同じになる。
【００９２】
なお、図１６は集合住宅のスプリンクラー消火設備に設けた流水検知装置を例にとっているが、それ以外の適宜のスプリンクラー消火設備の流水検知装置からの信号についても、同様にして、防護区画に対応して設けた消火栓装置の消火栓扉を自動開放するようにしても良い。
【００９３】
［本発明の変形例］
また、上記の実施形態は二人操作を行う消火栓を例にとっているが、一人操作を行う消火栓や補助散水栓についても同様に適用できる。また、人の手によって、通常閉鎖されている収納箱の内部に収納された各種装置等を取り出したり操作したりする消火栓装置である限りにおいて、収納箱の内部に設ける装置類は任意であり、例えば上記実施形態のものに加え消火ポンプの起動スイッチボタン等を設けた消火栓装置についても同様に適用できる。
【００９４】
また本発明の適用対象となる消火栓装置は屋内型に限らず、トンネルなどに設置とした消火栓装置や消火器収納装置に適用する。更に、上記各実施形態で示した消火栓装置の、例えば収納箱に内蔵されるホース類や消火栓弁、通報パネル部の構成及び配置その他、扉部分以外の構成についても任意であり、適宜の構成を採用して良い。要するに、消火栓装置の開口部に対しスクリーンロール装置やシャッター扉などを用いた消火栓扉と扉開放機構を用いた開閉構造を設け、本願の課題の一部又は全部を解決し、或いは若干でも改善するものであれば良い。
【００９５】
また、消防用設備は、自動火災報知設備やスプリンクラー設備に限定することなく、泡消火設備やトンネネル非常用設備等、消火栓と併設する設備であればその組み合わせは限定しない。
【００９６】
また、発信機は必ずしも消火栓と一対でなくてもよく、発信機の設置場所は消火栓の場所によらず適宜設計配置されてもよい。
【００９７】
また、上記の実施形態にあっては、ハンドルレバー３２のレバー先端を右側に向けて配置し、下向きに回動操作（時計回り）して開放しているが、ハンドルレバー３２のレバー先端を左側に向けて配置し、下向きに回動操作（半時計回り）して開放するようにしても良い。
【００９８】
また、上記の実施形態は扉開放機構３０を駆動する扉開放駆動部としてロータリーソレノイドを例にとっているが、これ以外の適宜の駆動手段を使用しても良い。
【００９９】
また、図８及び図９に示した扉開放機構は一例であり、ハンドル操作とこれと独立した扉開放駆動部の駆動により扉閉鎖を解除して開放させる構造であれば、適宜の機構構造を用いても良い。
【０１００】
また、上記の実施形態は、消火栓扉を開放した場合に、開放した消火栓扉が前方に飛び出すことのない、スクリーンロール装置やシャッター扉などを用いた消火栓扉を使用した消火栓装置を例にとっているが、従来例に示した横開きの消火栓扉を備えた消火栓装置についても、同様に、ハンドル操作とハンドル操作とこれと独立したロータリーソレノイドの駆動により扉閉鎖を解除して開放させるようにしても良い。この場合、横開きした消火栓扉は、前方への飛び出しを抑制するため、扉開口に対し横並びに概ね１８０°開く全開位置まで回動して保持する開放付勢機構（ドアオープナー）を設けることが望ましい。
【０１０１】
また、上記の実施形態のシャッター扉を用いた消火栓装置の他の実施形態として、複数枚の横板部材を縦方向に折り曲がり自在に連設した折り畳み式のシャッター扉とし、シャッター扉の上部を扉解放機構に保持して開口部を閉鎖し、扉開放機構による操作ハンドルの操作又はロータリーソレノイドの作動によりシャッター扉の保持を解除すると、自重により折り畳まれながら落下して開口部を開放する構造としても良い。
【０１０２】
また本発明は、その目的と利点を損なうことのない適宜の変形を含み、更に、上記の実施形態に示した数値による限定は受けない。
【符号の説明】
【０１０３】
１０：消火栓装置
１２：収納箱
１４：開口
１６：通報パネル
１８：発信機
１８ａ：押釦スイッチ
２０：赤色表示灯
２２：音響孔
２４：スクリーン
２６：ロールスクリーン装置
２８：支持部材
３０：扉開放機構
３２：操作ハンドル
４０：フック金具
４２：固定軸
５４：フック爪
５６：フック穴
６０：ロータリーソレノイド
６４：スライダ
６６：ハンドル操作軸
６８ａ，６８ｂ：リンクアーム
７０ａ，７０ｂ：ローラ
７２ａ，７２ｂ：駆動溝
７４ａ，７４ｂ：退避溝
７８：ソレノイド駆動軸
１２４：シャッター扉
１２６−１〜１２６−５：板部材
【図１】
2015036073.tif 000003
【図２】
2015036073.tif 000004
【図３】
2015036073.tif 000005
【図４】
2015036073.tif 000006
【図５】
2015036073.tif 000007
【図６】
2015036073.tif 000008
【図７】
2015036073.tif 000009
【図８】
2015036073.tif 000010
【図９】
2015036073.tif 000011
【図１０】
2015036073.tif 000012
【図１１】
2015036073.tif 000013
【図１２】
2015036073.tif 000014
【図１３】
2015036073.tif 000015
【図１４】
2015036073.tif 000016
【図１５】
2015036073.tif 000017
【図１６】
2015036073.tif 000018
【図１７】
2015036073.tif 000019
【図１８】
2015036073.tif 000020
【図１９】
2015036073.tif 000021